(57)【要約】【課題】  個人的・家庭的な使用や、使用頻度が少ない場合の用途に適した、小型軽量かつ簡素な構造を備えた安価なシール供給具を提供する。【解決手段】  片手による手持ち操作可能なケース２の先端部に、テープ収納部６から繰り出されるシールテープＴ上のシールＳを基材テープＢから剥離して対象位置Ｐに供給するシール供給部３と、シール供給部３により対象位置Ｐに供給されたシールＳを上側から押圧貼着するシール押圧ヘッド４とを備えてなる。シール供給部３は、シールテープＴをその外周面に沿って折り曲げ案内する剥離ローラ２０と、基材テープＢを剥離ローラ２０との間で挟圧回転して送り動作する送りローラ２１とを備えている。【選択図】    図３
2006306484.tif 000002
【特許請求の範囲】
【請求項１】
基材テープ上に配列保持されたシールを紙面等の対象位置に供給貼着するためのシール供給具であって、
片手による手持ち操作可能で、前記シールが基材テープに配列保持されてなるシールテープを巻装収納するテープ収納部を備えるケースと、
このケースの先端部に設けられて、前記ケースのテープ収納部から繰り出される前記シールテープ上のシールを基材テープから剥離して前記対象位置に供給するシール供給手段と、
前記ケースの先端部に設けられて、前記シール供給手段により前記対象位置に供給されたシールを上側から押圧貼着するシール押圧ヘッドとを備えてなり、
前記シール供給手段は、自由回転可能に軸支されて、前記シールテープをその外周面に沿って折り曲げ案内する剥離ローラと、自由回転可能に軸支されて、前記剥離ローラによりシールが剥離された前記シールテープの基材テープを前記剥離ローラとの間で挟圧回転して送り動作する送りローラとを備える
ことを特徴とするシール供給具。
【請求項２】
前記剥離ローラは、前記ケースの先端部に自由回転可能に軸支された小径の円筒ローラの形態とされ、
この剥離ローラの外径寸法は、その外周面に沿って折り曲げ案内される前記シールテープのシールが、このシールテープ折り曲げ案内時に、シール自体の平板状態への弾性復帰作用により前記基材テープから剥離される大きさに設定されている
ことを特徴とする請求項１に記載のシール供給具。
【請求項３】
前記剥離ローラの配設位置は、剥離ローラの外周面における前記シールの剥離位置と、前記シールテープのシールが剥離供給される前記対象位置との直線距離が、少なくとも前記シールの送り方向長さよりも小さくなるように設定されている
ことを特徴とする請求項２に記載のシール供給具。
【請求項４】
前記シールテープを前記テープ収納部から前記シール供給手段の剥離ローラへ走行案内するテープ案内部が設けられ、
このテープ案内部は、前記テープ収納部から繰り出される前記シールテープが前記剥離ローラの外周面に円滑に案内されるように湾曲した湾曲状案内面を備えている
ことを特徴とする請求項１に記載のシール供給具。
【請求項５】
前記送りローラは、前記ケースの先端部に自由回転可能に軸支された円筒ローラの形態とされ、
前記送りローラの外周の一部が前記ケース外部へ臨んで、前記シールテープのシールが供給される前記対象位置に転接可能とされるとともに、この送りローラと前記剥離ローラとの間を、前記シールテープの基材テープがこれら送りローラおよび剥離ローラの外周面により両側面を挟圧されて回転送りされる構造とされ、
前記送りローラが前記対象位置に押圧して転動されることにより、前記剥離ローラが従動回転されて、これにより、前記基材テープがこれら両ローラの外周面により挟圧状態で回転送りされる
ことを特徴とする請求項１に記載のシール供給具。
【請求項６】
前記シールが剥離された基材テープを前記シール供給手段の送りローラから前記ケースの外部へ排出案内するテープ排出部が設けられ、
このテープ排出部は、前記送りローラから送り出される前記基材テープが前記ケースの外周面に沿って案内されるように前記ケースの外周面に対向して延びる案内面を備えている
ことを特徴とする請求項１に記載のシール供給具。
【請求項７】
前記テープ排出部の排出端部に、前記基材テープを切断するテープカッタが設けられ、
このテープカッタは、前記ケースの外周面に対して弾性変形することにより、前記基材テープの切断箇所を前記ケースの外周面との間に挟持固定する構造とされている
ことを特徴とする請求項６に記載のシール供給具。
【請求項８】
前記シール押圧ヘッドは、前記シール供給手段の剥離ローラにより剥離されたシールを前記対象位置に密着状に押圧する幅方向へ直線状に延びる押圧部を備えている
ことを特徴とする請求項１に記載のシール供給具。
【請求項９】
前記シール押圧ヘッドは、前記ケースの先端部から突出して延びる平板状ヘッドの形態とされ、
このシール押圧ヘッドの先端部分が凸円弧状に湾曲されて、その凸円弧面が前記押圧部を形成する
ことを特徴とする請求項８に記載のシール供給具。
【請求項１０】
前記シール押圧ヘッドは、前記ケースの先端部から突出して延びる平板状ヘッドの形態とされ、
このシール押圧ヘッドの先端縁が断面凸円弧形状に形成されて、前記押圧部とされている
ことを特徴とする請求項８に記載のシール供給具。
【請求項１１】
前記シール押圧ヘッドの先端部に弾性変形用薄肉部分が設けられていることを特徴とする請求項１０に記載のシール供給具。
【請求項１２】
前記シール押圧ヘッドの先端縁下部に、シールを前記先端縁へ挿入案内する案内用凹部が形成されている
ことを特徴とする請求項１０に記載のシール供給具。
【請求項１３】
前記シール押圧ヘッドの先端縁の幅方向両端部に、シールを前記先端縁へ挿入案内する案内用突起が設けられている
ことを特徴とする請求項１０に記載のシール供給具。
【請求項１４】
前記シール押圧ヘッドの先端部に、小径の押圧ローラが回転可能に支持されて、前記先端縁を形成している
ことを特徴とする請求項１０に記載のシール供給具。
【請求項１５】
前記シール押圧ヘッドの先端縁が弾性線材により形成されていることを特徴とする請求項１０に記載のシール供給具。
【請求項１６】
前記ケースは、開閉可能なケース本体と蓋体とからなる分割構造とされて、シールテープの補充が可能な構成とされ、
前記ケース内に形成されるテープ収納部は、ロール状に巻装されてなる前記シールテープを繰出し回転可能に収納配置する構造を備える
ことを特徴とする請求項１に記載のシール供給具。
【請求項１７】
前記ケースは、開閉可能なケース本体と蓋体とからなる分割構造とされて、シールテープの補充が可能な構成とされ、
前記ケース内に形成されるテープ収納部は、前記シールテープをロール状に巻装収納してなるテープカートリッジを交換可能に収納配置する構造を備える
ことを特徴とする請求項１に記載のシール供給具。
【請求項１８】
前記ケースは、開閉可能なケース本体と蓋体とからなる分割構造とされて、シールテープの補充が可能な構成とされ、
前記ケース内に形成されるテープ収納部は、ロール状に巻装されてなる前記シールテープを繰出し回転可能に収納配置する構造と、前記シールテープをロール状に巻装収納してなるテープカートリッジを交換可能に収納配置する構造とを兼備する
ことを特徴とする請求項１に記載のシール供給具。
【請求項１９】
前記ケースは、前記テープ収納部の中央部に対応した箇所に、前記ケース本体と蓋体の分解方向へ貫通して設けられた円筒状の貫通穴を備え、
この貫通穴を形成する円筒部は、前記テープ収納部に収納配置される前記シールテープの回転支軸を形成する
ことを特徴とする請求項１６から１８のいずれか一つに記載のシール供給具。
【請求項２０】
前記テープカートリッジは、前記シールテープをロール状に巻装収納するカートリッジ本体と、このカートリッジ本体に収納された前記シールテープを前記カートリッジ本体の外部へ導くテープ繰出部とからなり、
このテープ繰出部は、前記ケースのテープ案内部と協働して、前記シールテープを前記シール供給手段の剥離ローラへ円滑に挿通案内する構造とされている
ことを特徴とする請求項１７または１８に記載のシール供給具。
【請求項２１】
前記テープカートリッジのテープ繰出部は、前記シールテープに生じるシールの剥離を防止するシール厚さ方向寸法を有する扁平断面を有する挿通路を備えることを特徴とする請求項２０に記載のシール供給具。
【請求項２２】
前記ケースの先端部に、少なくとも前記シール供給手段の送りローラを被覆保護する保護キャップが取外し可能に設けられていることを特徴とする請求項１に記載のシール供給具。
【請求項２３】
前記シールテープは、長尺な基材テープ上に文字や絵柄等の各種マークが印刷されてなる多数の前記シールが所定間隔をもって配列保持されてなることを特徴とする請求項１に記載のシール供給具。
【請求項２４】
前記シールテープは、ユーザがパソコンおよびプリンタとからなるシール印刷設備を用いて文字や絵柄等の各種マークが任意に印刷されてなるシール印刷用ブランクシートから形成され、
このシール印刷用ブランクシートは、矩形基材テープに、印刷用ブランクシールが所定間隔をもって多数枚配列保持されてなるとともに、これら印刷用ブランクシールに、任意の文字や絵柄等の各種マークがそれぞれ印刷されて、前記シールが形成されてなり、
前記シール印刷用ブランクシートが前記シールの配列方向へ平行に切断されて短冊状シートとされ、これら短冊状シートが長手方向へ連続的に接続されて前記シールテープが形成されている
ことを特徴とする請求項１に記載のシール供給具。
【請求項２５】
基材テープ上に配列保持されたシールを紙面等の対象位置に供給貼着するためのシール供給具のケースに交換可能に装着されるテープカートリッジであって、
前記シールテープをロール状に巻装収納するカートリッジ本体と、このカートリッジ本体に収納された前記シールテープを前記カートリッジ本体の外部へ導くテープ繰出部とからなり、
前記カートリッジ本体は、前記シール供給具のケース内に形成されるテープ収納部に位置決め配置される外形輪郭を有するとともに、
前記テープ繰出部は、前記ケースに設けられたテープ案内部と協働して、前記シールテープを、前記ケースの先端部に設けられたシール供給手段へ円滑に挿通案内する構造とされている
ことを特徴とするシール供給具のテープカートリッジ。
【請求項２６】
前記テープカートリッジのテープ繰出部は、前記シールテープに生じるシールの剥離を防止するシール厚さ方向寸法を有する扁平断面を有する挿通路を備えることを特徴とする請求項２５に記載のシール供給具のテープカートリッジ。
【発明の詳細な説明】
【技術分野】
【０００１】
本発明は、シール供給具およびそのテープカートリッジに関し、さらに詳細には、基材テープ上に配列保持されたシールを紙面等の対象位置に供給貼着するためのシール供給技術に関する。
【背景技術】
【０００２】
近時の商品の多様化に伴い、例えば、企業ロゴマーク、キャラクター、事務関係マーク等の各種マークを印刷したシールなどが、基材テープ上に配列保持された形態で供給され始めており、この種のシールは、従来、手指により上記基材テープ上から剥離されて、紙面等の対象位置に貼着使用される方法が一般に採られている。
【０００３】
しかしながら、このように基材テープ上のシールをユーザが手指にて直接剥がして貼着する使用方法では、ユーザの手先の器用・不器用などの個人的能力差が、シールの使用状態の良否にそのまま影響するため、ユーザの使用段階でシールの商品価値が著しく低下してしまうということも起こり得、汎用性を生命とするこの種のシール商品にとって、致命傷となる危険もあった。
【０００４】
この点に関して、従来、主として業務用に開発されて提供されているラベル貼付装置（例えば、特許文献１および特許文献２等参照）を、上記新規シール商品に適用することも考えられるが、これらの装置はいずれも、その本来的用途が業務用ということで、装置構造が大型かつ複雑で、価格も高く、個人的・家庭的な使用や、業務用でも使用頻度が少ない場合の用途には不向きであった。
【特許文献１】特開昭５６−７４４３１号公報
【特許文献２】特開平２−８５１４０号公報
【発明の開示】
【発明が解決しようとする課題】
【０００５】
本発明はかかる従来の問題点に鑑みてなされたものであって、その目的とするところは、個人的・家庭的な使用や、使用頻度が少ない場合の用途に適した、小型軽量かつ簡素な構造を備えた安価なシール供給具を提供することにある。
【０００６】
また、本発明の他の目的とするところは、このようなシール供給具に交換可能に装着使用されるテープカートリッジを提供することにある。
【課題を解決するための手段】
【０００７】
この目的を達成するため、本発明のシール供給具は、基材テープ上に配列保持されたシールを紙面等の対象位置に供給貼着するためのものであって、片手による手持ち操作可能で、上記シールが基材テープに配列保持されてなるシールテープを巻装収納するテープ収納部を備えるケースと、このケースの先端部に設けられて、上記ケースのテープ収納部から繰り出される上記シールテープ上のシールを基材テープから剥離して上記対象位置に供給するシール供給手段と、上記ケースの先端部に設けられて、上記シール供給手段により上記対象位置に供給されたシールを上側から押圧貼着するシール押圧ヘッドとを備えてなり、上記シール供給手段は、自由回転可能に軸支されて、上記シールテープをその外周面に沿って折り曲げ案内する剥離ローラと、自由回転可能に軸支されて、上記剥離ローラによりシールが剥離された上記シールテープの基材テープを上記剥離ローラとの間で挟圧回転して送り動作する送りローラ２１とを備えることを特徴とする。
【０００８】
好適な実施態様として、上記剥離ローラは、上記ケースの先端部に自由回転可能に軸支された小径の円筒ローラの形態とされ、この剥離ローラの外径寸法は、その外周面に沿って折り曲げ案内される上記シールテープのシールが、このシールテープ折り曲げ案内時に、シール自体の平板状態への弾性復帰作用により上記基材テープから剥離される大きさに設定されている。
【０００９】
また、上記剥離ローラの配設位置は、剥離ローラの外周面における上記シールの剥離位置と、上記シールテープのシールが剥離供給される上記対象位置との直線距離が、少なくとも上記シールの送り方向長さよりも小さくなるように設定される。
【００１０】
また、望ましくは、上記シールテープを上記テープ収納部から上記シール供給手段の剥離ローラへ走行案内するテープ案内部が設けられ、このテープ案内部は、上記テープ収納部から繰り出される上記シールテープが上記剥離ローラの外周面に円滑に案内されるように湾曲した湾曲状案内面を備えている。
【００１１】
上記送りローラは、上記ケースの先端部に自由回転可能に軸支された円筒ローラの形態とされ、上記送りローラの外周の一部が上記ケース外部へ臨んで、上記シールテープのシールが供給される上記対象位置に転接可能とされるとともに、この送りローラと上記剥離ローラとの間を、上記シールテープの基材テープがこれら送りローラおよび剥離ローラの外周面により両側面を挟圧されて回転送りされる構造とされ、上記送りローラが上記対象位置に押圧して転動されることにより、上記剥離ローラが従動回転されて、これにより、上記基材テープがこれら両ローラの外周面により挟圧状態で回転送りされる。
【００１２】
また、望ましくは、上記シールが剥離された基材テープを上記シール供給手段の送りローラから上記ケースの外部へ排出案内するテープ排出部が設けられ、このテープ排出部は、上記送りローラから送り出される上記基材テープが上記ケースの外周面に沿って案内されるように上記ケースの外周面に対向して延びる案内面を備えている。
【００１３】
上記テープ排出部の排出端部に、上記基材テープを切断するテープカッタが設けられることが望ましく、このテープカッタは、上記ケースの外周面に対して弾性変形することにより、上記基材テープの切断箇所を上記ケースの外周面との間に挟持固定する構造とされる。
【００１４】
さらに、上記シール押圧ヘッドは、上記シール供給手段の剥離ローラにより剥離されたシールを上記対象位置に密着状に押圧する幅方向へ直線状に延びる押圧部を備えており、具体的には、以下のような構造が採用される。
【００１５】
ｉ）上記シール押圧ヘッドは、上記ケースの先端部から突出して延びる平板状ヘッドの形態とされ、このシール押圧ヘッドの先端部分が凸円弧状に湾曲されて、その凸円弧面が上記押圧部を形成する。
【００１６】
ii）上記シール押圧ヘッドは、上記ケースの先端部から突出して延びる平板状ヘッドの形態とされ、このシール押圧ヘッドの先端縁が断面凸円弧形状に形成されて、上記押圧部とされている。
【００１７】
iii）上記ii）において、上記シール押圧ヘッドの先端部に弾性変形用薄肉部分が設けられている。
【００１８】
iv）上記ii）において、上記シール押圧ヘッドの先端縁下部に、シールを上記先端縁へ挿入案内する案内用凹部が形成されている。
【００１９】
ｖ）上記ii）において、上記シール押圧ヘッドの先端縁の幅方向両端部に、シールを上記先端縁へ挿入案内する案内用突起が設けられている。
【００２０】
vi）上記ii）において、上記シール押圧ヘッドの先端部に、小径の押圧ローラが回転可能に支持されて、上記先端縁を形成している。
【００２１】
vii）上記ii）において、上記シール押圧ヘッドの先端縁が弾性線材により形成されている。
【００２２】
さらに、上記ケースは、開閉可能なケース本体と蓋体とからなる分割構造とされて、シールテープの補充が可能な構成とされ、上記ケース内に形成されるテープ収納部は、以下のような構造が採用される。
【００２３】
ｉ）ロール状に巻装されてなる上記シールテープを繰出し回転可能に収納配置する構造
【００２４】
ii）上記シールテープをロール状に巻装収納してなるテープカートリッジを交換可能に収納配置する構造
【００２５】
iii）ロール状に巻装されてなる上記シールテープを繰出し回転可能に収納配置する構造と、上記シールテープをロール状に巻装収納してなるテープカートリッジを交換可能に収納配置する構造とを兼備する構造
【００２６】
また、上記ケースは、上記テープ収納部の中央部に対応した箇所に、上記ケース本体と蓋体の分解方向へ貫通して設けられた円筒状の貫通穴を備え、この貫通穴を形成する円筒部が、上記テープ収納部に収納配置される上記シールテープの回転支軸を形成する。
【００２７】
上記テープカートリッジは、上記シールテープをロール状に巻装収納するカートリッジ本体と、このカートリッジ本体に収納された上記シールテープを上記カートリッジ本体の外部へ導くテープ繰出部とからなり、このテープ繰出部は、上記ケースのテープ案内部と協働して、上記シールテープを上記シール供給手段の剥離ローラへ円滑に挿通案内する構造とされている。
【００２８】
上記テープカートリッジのテープ繰出部は、上記シールテープに生じるシールの剥離を防止するシール厚さ方向寸法を有する扁平断面を有する挿通路を備える。
【００２９】
また、好ましくは、上記ケースの先端部に、少なくとも上記シール供給手段の送りローラを被覆保護する保護キャップが取外し可能に設けられている。
【００３０】
さらに、上記シールテープは、長尺な基材テープ上に文字や絵柄等の各種マークが印刷されてなる多数の上記シールが所定間隔をもって配列保持されてなるほか、ユーザがパソコンおよびプリンタとからなるシール印刷設備を用いて文字や絵柄等の各種マークが任意に印刷されてなるシール印刷用ブランクシートから形成されてもよい。
【００３１】
この場合、シール印刷用ブランクシートは、矩形基材テープに、印刷用ブランクシールが所定間隔をもって多数枚配列保持されてなるとともに、これら印刷用ブランクシールに、任意の文字や絵柄等の各種マークがそれぞれ印刷されて、上記シールが形成されてなり、上記シール印刷用ブランクシートが上記シールの配列方向へ平行に切断されて短冊状シートとされ、これら短冊状シートが長手方向へ連続的に接続されて上記シールテープが形成されている。
【００３２】
本発明のテープカートリッジは、上記シール供給具のケースに交換可能に装着されるものであって、上記シールテープをロール状に巻装収納するカートリッジ本体と、このカートリッジ本体に収納された上記シールテープを上記カートリッジ本体の外部へ導くテープ繰出部とからなり、上記カートリッジ本体は、上記シール供給具のケース内に形成されるテープ収納部に位置決め配置される外形輪郭を有するとともに、上記テープ繰出部は、上記ケースに設けられたテープ案内部と協働して、上記シールテープを、上記ケースの先端部に設けられたシール供給手段へ円滑に挿通案内する構造とされていることを特徴とする。
【００３３】
好適な実施態様として、上記テープカートリッジのテープ繰出部は、上記シールテープに生じるシールの剥離を防止するシール厚さ方向寸法を有する扁平断面を有する挿通路を備える。
【発明の効果】
【００３４】
本発明のシール供給具によれば、片手による手持ち操作可能なケースの先端部に、ケースのテープ収納部から繰り出されるシールテープ上のシールを基材テープから剥離して対象位置に供給するシール供給手段と、このシール供給手段により上記対象位置に供給されたシールを上側から押圧貼着するシール押圧ヘッドとを備えてなり、上記シール供給手段が、自由回転可能に軸支されて、上記シールテープをその外周面に沿って折り曲げ案内する剥離ローラと、自由回転可能に軸支されて、上記剥離ローラによりシールが剥離された上記シールテープの基材テープを上記剥離ローラとの間で挟圧回転して送り動作する送りローラとを備えているから、小型軽量かつ簡素な構造で安価であり、個人的・家庭的な使用や、使用頻度が少ない場合の用途に適したシール供給具を提供することができる。
【００３５】
また、上記ケースが開閉可能なケース本体と蓋体とからなる分割構造とされて、消耗品であるシールテープの補充が可能な構成とされていることにより、シール供給具をそのまま再利用することができ、省資源化に有効に対応することが可能である。
【００３６】
さらに、本発明のテープカートリッジは、上記シール供給具のケースに交換可能に装着されるものであって、上記シールテープをロール状に巻装収納するカートリッジ本体と、このカートリッジ本体に収納された上記シールテープを上記カートリッジ本体の外部へ導くテープ繰出部とからなるから、消耗品であるシールテープの取扱いが容易で、上記シール供給具へのシールテープの補充・セッティングも容易かつ確実に行なうことができる。
【発明を実施するための最良の形態】
【００３７】
以下、本発明の実施形態を図面に基づいて詳細に説明する。
【００３８】
実施形態１
本発明に係るシール供給具が図１〜図５に示されており、このシール供給具１は、具体的には、シールテープＴ上のシールＳを紙面等の対象位置Ｐに供給貼着するためのもので、図示の実施形態のシールテープＴは、長尺な基材テープＢ上にシールＳ、Ｓ、…が配列保持されてなる。
【００３９】
シール供給具１は、図１〜図３に示されるような簡素な構造で、具体的には、ケース２、このケース２の先端部に設けられたシール供給部（シール供給手段）３およびシール押圧ヘッド４、ならびにテープカートリッジ５を主要部として構成されている。
【００４０】
ケース２は片手による手持ち操作可能な形状寸法を有し、その内部に、シールＳ、Ｓ、…が配列保持されてなる基材テープＢを巻装収納するテープ収納部６を備えるとともに、その先端部に上記シール供給部３とシール押圧ヘッド４が設けられている。
【００４１】
具体的には、上記ケース２は、図示のようなほぼ側面Ｐ字形状に形成されてなるプラスチック製のものであって、開閉可能なケース本体７と蓋体８とからなる分割構造とされて、シールテープＴの補充が可能な構成とされている。
【００４２】
ケース本体７は、図２に示すように、上記テープ収納部６を形成する収納部形成部６ａを有する内部構造とされ、その先端部分には、上記シール供給部３が設けられるとともに、上記シール押圧ヘッド４を形成するヘッド形成部４ａが一体形成されている。
【００４３】
また、蓋体８は、具体的には図示しないが、上記テープ収納部６を形成する収納部形成部６ｂを有する内部構造とされ、その先端部分には、上記シール供給部３に対応した切欠凹部９が設けられるとともに、上記シール押圧ヘッド４を形成するヘッド形成部４ｂが一体形成されている。
【００４４】
これらケース本体７と蓋体８との結合一体化によるケース２の組立ては、これらの外周縁にそれぞれ設けられた嵌合凹部（ケース本体７側）１０ａと嵌合凸部１０ｂ（蓋体８側）との凹凸嵌合構造によりなされる（図２参照）。
【００４５】
組立一体化されたケース２において、収納部形成部６ａ、６ｂにより形成される上記テープ収納部６は、i）ロール状に巻装されてなる上記シールテープＴを繰出し回転可能に直接収納配置する構造と、ii）シールテープＴをロール状に巻装収納してなるテープカートリッジ５を交換可能に収納配置する構造とを兼備してなり、図示の実施形態においては、シールテープＴがテープカートリッジ５に収容される形態で使用されている。
【００４６】
シールテープＴは、長尺な基材テープＢ上に文字や絵柄等の各種マークが印刷されてなる多数のシールＳ、Ｓ、…が所定間隔をもって配列保持されてなり、通常は、シールメーカ等により予め製造されてなる市販のものが一般に使用されるが、ユーザがパソコンにより個人的・家庭的に任意の各種マークを印刷可能なシール印刷用ブランクシートなどから形成してもよい。
【００４７】
このシール印刷用ブランクシートは、具体的には図示しないが、剥離紙等からなる矩形基材テープに、上記シールＳとなる印刷用ブランクシールが所定間隔をもって多数枚配列保持されてなる。このように構成されたシール印刷用ブランクシートは、従来周知の一般的なパソコンとプリンタとからなる簡易なシール印刷設備において、上記プリンタにセットされて、パソコンにインストールされた印刷用アプリケーションソフトにより、ユーザが任意の文字や絵柄等の各種マークを、上記シール印刷用ブランクシート上の印刷用ブランクシールに印刷して、シールＳ、Ｓ、…を作成することができる。
【００４８】
そして、上記シール印刷用ブランクシートをシールＳ、Ｓ、…の配列方向へ平行に切断して短冊状シールとした後、これら短冊状シートを長手方向へ適宜の接続手段（接着剤、接着テープ等）により連続的に接続して、上記シールテープＴとする。この場合は、ロール状に巻装したシールテープＴを上記テープ収納部６に直接収納配置するのが望ましい。
【００４９】
また、上記テープ収納部６の中央部に対応した箇所に、ケース本体７と蓋体８の分解方向へ貫通して設けられた円筒状の貫通穴１１を備え、この貫通穴１１を形成する円筒部１１Aが、上記テープ収納部６に収納配置されるシールテープＴの回転支軸を形成している。また、貫通穴１１は、シール供給具１を手持ち操作する際の指挿入穴として、シール供給具１を携帯する際の携帯ストラップ用穴として、あるいはケース２を分解組立てする際のケース本体７および蓋体８の紛失防止紐用穴として機能する。
【００５０】
また、上記テープカートリッジ５は、カートリッジ本体１５とテープ繰出部１６が一体形成されてなる側部開放型のプラスチック製で、シールテープＴの装填が機械的に自動化できる構造を備える。
【００５１】
カートリッジ本体１５は、その外形輪郭形状寸法が、図３に示すように、上記ケース２のテープ収納部６に嵌合状に位置決め配置されるように設定されるとともに、その内部に上記シールテープＴがロール状に巻装収納される構成とされている。これに関連して、テープ収納部６の中央部には、巻装されたシールテープＴを回転可能に位置決め配置する円筒状の回転支軸１７が形成され、この回転支軸１７は、ケース２の円筒部１１Aに位置決め嵌合される。
【００５２】
上記カートリッジ本体１５内のシールテープＴは、カートリッジ本体１５に一体形成されたテープ繰出部１６を介してカートリッジ本体１５の外部へ繰り出される。
【００５３】
このテープ繰出部１６は、後述するように、上記ケース２に設けられたテープ案内部３０と協働して、シールテープＴを、上記シール供給部３へ円滑に挿通案内する構造とされている。また、テープ繰出部１６は、シールテープＴに生じるシールSの剥離を防止するシール厚さ方向寸法を有する扁平断面を有する挿通路１６ａを備える。換言すれば、この挿通路１６ａは、一枚のシールテープＴが挿通可能な程度の扁平断面を有してなり、ここを挿通案内されるシールテープＴにシールＳの剥離が生じるのを防止するとともに、一旦生じたシールＳの剥離が回復され得る構造とされている。１８は、カートリッジ本体１５とテープ繰出部１６との間に橋絡状に設けられた板状の補強部を示している。
【００５４】
シール供給部３は、上記テープ収納部６から繰り出されるシールテープＴ上のシールＳを基材テープＢから剥離して対象位置Ｐに供給するもので、剥離ローラ２０と送りローラ２１とを備えてなり、これら両ローラ２０、２１は、ケース本体７の先端部に一体形成された支軸２２、２３にそれぞれ回転可能に軸支されて、ケース本体７に装着されている。２４は、両ローラ２０、２１が支軸２２、２３から抜けることを防止する抜止プレートで、支軸２２、２３の自由端に取付け固定されている。
【００５５】
剥離ローラ２０は、上記支軸２２に自由回転可能に軸支されて、上記シールテープＴをその外周面に沿って折り曲げ案内するもので、硬質材料からなる小径の円筒ローラの形態とされ、構成材料としては、アルミニウム合金等の軽量金属やプラスチック等が好適に用いられ、図示の実施形態においてはアルミニウム製円筒ローラが採用されている。
【００５６】
この剥離ローラ２０の外径寸法は、その外周面に沿って折り曲げ案内されるシールテープＴのシールＳが、このシールテープＴ折り曲げ案内時に、シールＳ自体の平板状態への弾性復帰作用により上記基材テープＢから剥離される大きさに設定されている。
【００５７】
送りローラ２１は、上記支軸２３に自由回転可能に軸支されて、上記シールテープＴの基材テープＢを上記剥離ローラ２０との間で挟圧回転しながら送り動作するもので、弾性材料からなる円筒ローラの形態とされている。
【００５８】
図示の送りローラ２１は、上記支軸２３に軸支される中心部分２１ａは硬質材料からなるとともに、その外周部分２１ｂが弾性材料からなる２重構造とされている。具体的には、送りローラ２１の中心部分２１ａの構成材料としては、上記剥離ローラ２０と同様にアルミニウム合金等の軽量金属やプラスチック等が好適に用いられ、図示の実施形態においてはアルミニウム合金が採用されている。また、送りローラ２１の外周部分２１ｂの構成材料としては弾性ゴムやエラストマーが好適に用いられ、図示の実施形態においては弾性ゴムが採用されている。
【００５９】
送りローラ２１は、上記剥離ローラ２０に対して弾発的に当接係合するとともに、この剥離ローラ２０との間をシールテープＴの基材テープＢが挟圧状態で挿通可能な配置構成とされいる。また、送りローラ２１の外周の一部は、上記ケース２外部へ臨んで設けられて、シールテープＴのシールＳが供給される対象位置Ｐに転接可能とされている。
【００６０】
そして、送りローラ２１が対象位置Ｐに押圧して矢符方向へ転動され、または手指にて回転操作されて、矢符方向へ回転することにより、上記剥離ローラ２０が従動回転されて、上記基材テープＢがこれら両ローラ２０、２１の外周面により挟圧状態で矢符方向へ回転送りされる。
【００６１】
また、この基材テープＢの矢符方向へ送り走行により、基材テープＢ上に粘着保持されたシールＳが剥離ローラ２０の外周面まで移動し、基材テープＢが剥離ローラ２０の外周面に沿って折り曲げ案内されると、このシールＳ自体の平板状態への弾性復帰力がシールＳの基材テープＢに対する粘着力に打ち勝つ結果、その弾性復帰作用により基材テープＢから剥離される。
【００６２】
また、このシールＳの剥離動作に関連して、剥離ローラ２０の配設位置は、次の条件を満たすように設定される。
【００６３】
すなわち、図４（ａ）に示すように、剥離ローラ２０により剥離されるシールＳが完全に基材テープＢから剥離されてしまう前に、少なくともシールＳの一部分が対象位置Ｐに粘着される必要がある。換言すれば、剥離ローラ２０により剥離されたシールＳの先端部分が上記対象位置Ｐに粘着された時に、シールＳの一部少なくとも基端部分がまだ基材テープＢ上に粘着保持されている必要がある。
【００６４】
この条件を満たすため、剥離ローラ２０の配設位置は、剥離ローラ２０の外周面における上記シールＳの剥離位置Ｒと、上記シールテープＴのシールＳが剥離供給される上記対象位置Ｐとの直線距離Lが、少なくとも上記シールＳの送り方向長さL0よりも小さくなるように設定されている。
【００６５】
上記シール供給部３の剥離ローラ２０に関連して、ケース２のケース本体７には、上記シールテープＴを上記テープ収納部６から上記シール供給部３の剥離ローラ２０へ走行案内するテープ案内部３０が設けられている。
【００６６】
このテープ案内部３０は、図３に示すように、円形状のテープ収納部６外周から反対方向へ円弧状に湾曲して、上記剥離ローラ２０の外周面近傍位置まで延びる湾曲状案内面３０ａを備えており、これにより、テープ収納部６から繰り出されるシールテープＴが上記剥離ローラ２０の外周面に円滑に案内される構成とされている。
【００６７】
これに対応して、図３に示すようなテープカートリッジ５の装着状態において、テープカートリッジ５のテープ繰出部１６は、ケース２の上記テープ案内部３０の湾曲状案内面３０ａに沿って延びるとともに、その下側部分１６ｂがテープ案内部３０の先端部近傍位置まで延びて一体化しており、これにより、上記テープ案内部３０と協働して、シールテープＴを上記シール供給部３へ円滑に挿通案内するようにされている。つまり、テープカートリッジ５の採用の有無に関わらず、テープ収納部６から繰り出されるシールテープＴは上記剥離ローラ２０の外周面に円滑に案内される。
【００６８】
また、上記シール供給部３の送りローラ２１に関連して、ケース２のケース本体７には、シールＳが剥離された基材テープＢを上記送りローラ２１から上記ケース２の外部へ排出案内するテープ排出部３１が設けられている。
【００６９】
このテープ排出部３１は、図３に示すように、ケース本体７の外周部において、上記送りローラ２１の外周面近傍位置から送り出される基材テープＢが上記ケース２の外周面に沿ってケース２の後部まで案内されるように、上記ケース２の側面円弧状輪郭を有する外周面に対向して延びる湾曲状案内面３１ａを備えている。
【００７０】
また、上記テープ排出部３１の排出端部には、図５に示すように、上記基材テープＳを切断するテープカッタ３２が設けられている。テープカッタ３２の構造は、基材テープＳの材質に対応して設定され、図示の実施形態においては、基材テープＳが紙製であることから、テープカッタ３２はペーパーナイフの形態とされている。
【００７１】
このテープカッタ２の切断作用に関連して、上記テープ排出部３１の後半部３３は、ケース２の外周面方向へ弾性変形可能な弾性板の形態とされて、その先端縁が上記テープカッタ２とされている。
【００７２】
そして、図５（ｂ）に示すように、テープ排出部３１の後半部３３をケース２の外周面方向へ押圧して弾性変形させることにより、テープカッタ３２が基材テープＢの切断箇所をケース２の外周面との間に挟持固定し、この状態で基材テープＢの末端部分を手指にてつかんで下側へ折り曲げながら引っ張ることにより、基材テープＢはテープカッタ３２により切断除去される。
【００７３】
シール押圧ヘッド４は、上記シール供給部３により上記対象位置Ｐに供給されたシールＳを上側から押圧貼着するもので、前述したように、上記ケース２を構成するケース本体７および蓋体８の先端部に一体形成されたヘッド形成部４ａ、４ｂから構成されている。
【００７４】
具体的には、シール押圧ヘッド４は、組立一体化されたケース２において、このケース２の先端部から前方へ直線状に突出して延びる平板状ヘッドの形態とされ、その先端部分が凸円弧状に湾曲形成されている。そして、このシール押圧ヘッド４の凸円弧面３５はシール押圧ヘッド４の幅方向へ直線状に延びて、シール供給部３の剥離ローラ２０により剥離されたシールＳを上記対象位置Ｐに密着状に押圧する押圧部を形成している。
【００７５】
また、シール押圧ヘッド４を形成するヘッド形成部４ａ、４ｂはその対向部が僅かに切欠形成されて、上記ケース２組立時、つまりケース本体７と蓋体８の結合合体時における両ヘッド形成部４ａ、４ｂの対向部分の接触干渉を防止する構造とされるとともに、このケース２組立時に形成されるスリット３６がシールＳの貼着時における覗き窓として機能する。
【００７６】
なお、具体的な取付け構造は図示していないが、上記ケース２の先端部に、少なくとも上記シール供給部３の送りローラ２１を被覆保護する保護キャップ４０が取外し可能に設けられることが望ましい。このような保護キャップ４０の存在により、シール供給具１の不使用時、ケース２の外部へ露出している送りローラ２１が手指や障害物等に当たって、シールテープＴに無用な送り動作が生じる不具合が有効に防止され得る。
【００７７】
しかして、以上のように構成されたシール供給具１の使用に際しては、ケース２を手指にて把持して、図４（ａ）に示すように、シールＳを供給貼着すべき対象位置Ｐ上に、シール供給部３の送りローラ２１を押し当てた状態で（この場合、シール押圧ヘッド４は図示のごとく対象位置Ｐから若干離しておくか、あるいは対象位置Ｐに軽く触れさせておいても良い。）、シール供給具１を上記対象位置表面Ｐに沿って矢符方向へ移動させる。
【００７８】
すると、上記送りローラ２１が対象位置Ｐに押圧して転動されることにより、シールテープＴの基材テープＢは、この送りローラ２１と剥離ローラ２０との間を、これら両ローラ２０、２１の外周面により両側面を挟圧されて回転送りされる。これにより、上記基材テープＢが回転する上記剥離ローラ２０の外周面に沿って折り曲げ案内され、この折り曲げ案内時に、基材テープＢ上のシールＳが、それ自体の平板状態への弾性復帰作用により基材テープＢから剥離されて、そのまま前側下方へ送られる。そして、基材テープＢから剥離されたシールＳは、その先端側から対象位置表面Ｐ上に軽く粘着載置されて仮貼着状態となる（図４（ｂ）参照）。一方、上記シールＳが剥離された基材テープＢは上記送りローラ２１と剥離ローラ２０に挟圧されて送られ、ケース２のテープ排出部３１を介してケース２の後側外部へ向けて排出案内される。
【００７９】
続いて、この仮貼着状態にあるシールＳに対して、シール押圧ヘッド４を上側から押圧して、シール供給具１を上記対象位置表面Ｐに沿ってさらに矢符方向へ移動させる（図４（ｂ）に示す状態から図４（ｃ）に示す状態参照）。これにより、シールＳは、シール押圧ヘッド４により対象位置表面Ｐに押し付けられて完全に貼着される（本貼着）。なお、この本貼着操作の際は、送りローラ２１を図示のごとく対象位置Ｐから若干浮かせて離して、無用な送りローラ２１の回転により次のシールＳが剥離されることを防止する。
【００８０】
また、複数回のシールＳの供給貼着操作を繰り返した結果、上記テープ排出部３１からケース２の後側外部へ排出された基材テープＢの長さが長くなったら、適宜テープカッタ３２により切断除去する（図５（ａ）および（ｂ）参照）。
【００８１】
本実施形態のシール供給具１によれば、片手による手持ち操作可能なケース２の先端部に、ケース２のテープ収納部６から繰り出されるシールテープＴ上のシールＳを基材テープＢから剥離して対象位置Ｐに供給するシール供給部３と、このシール供給部３により上記対象位置Ｐに供給されたシールＳを上側から押圧貼着するシール押圧ヘッド４とを備えてなり、上記シール供給部３が、上記シールテープＴをその外周面に沿って折り曲げ案内する剥離ローラ２０と、基材テープＢを剥離ローラ２０との間で挟圧回転して送り動作する送りローラ２１とを備えているから、小型軽量かつ簡素な構造で安価であり、個人的・家庭的な使用や、使用頻度が少ない場合の用途に適したシール供給具を提供することができる。
【００８２】
また、上記ケース２が開閉可能なケース本体７と蓋体８とからなる分割構造とされて、消耗品であるシールテープＴの補充が可能な構成とされていることにより、シール供給具１をそのまま再利用することができ、省資源化に有効に対応することが可能である。
【００８３】
さらに、テープカートリッジ５が、シールテープＴをロール状に巻装収納するカートリッジ本体１５と、このカートリッジ本体１５に収納されたシールテープＴをカートリッジ本体１５の外部へ導くテープ繰出部１６とからなるから、消耗品であるシールテープＴの取扱いが容易で、上記シール供給具１へのシールテープＴの補充・セッティングも容易かつ確実に行なうことができる。
【００８４】
実施形態２
本実施形態は図６に示されており、実施形態１におけるシール供給具１のシール押圧ヘッド４の具体的構造が改変されたものである。
【００８５】
すなわち、本実施形態のシール押圧ヘッド４は、ケース２の先端部から突出して延びる平板状ヘッドの形態とされるとともに、図示のごとく、その先端縁４１が断面凸円弧形状とされている。この先端縁４１は、シール供給部３の剥離ローラ２０により剥離されたシールＳを対象位置Ｐに密着状に押圧する押圧部を形成している。
【００８６】
また、図示のごとく、シール押圧ヘッド４の先端部４２に弾性変形用薄肉部分４２ａが設けられて、この先端部４２が押圧方向（矢符方向）に弾性変形可能とされている。具体的には、上記先端部４２における下側部分が凹部とされて弾性変形用薄肉部分４２ａが形成されている。
その他の構成および作用は実施形態１と同様である。
【００８７】
実施形態３
本実施形態は図７に示されており、実施形態１におけるシール供給具１のシール押圧ヘッド４の具体的構造が改変されたものである。
【００８８】
すなわち、本実施形態のシール押圧ヘッド４は、実施形態２と同様に、ケース２の先端部から突出して延びる平板状ヘッドの形態とされるとともに、図示のごとく、その先端縁４１が断面凸円弧形状の押圧部とされている。
【００８９】
また、図示のごとく、シール押圧ヘッド４の先端縁つまり押圧部４１の下部に、シールＳを押圧部４１へ挿入案内する案内用凹部４３が形成されている。
その他の構成および作用は実施形態１と同様である。
【００９０】
実施形態４
本実施形態は図８に示されており、実施形態１におけるシール供給具１のシール押圧ヘッド４の具体的構造が改変されたものである。
【００９１】
すなわち、本実施形態のシール押圧ヘッド４は、実施形態２と同様に、ケース２の先端部から突出して延びる平板状ヘッドの形態とされるとともに、図示のごとく、その先端縁４１が断面凸円弧形状の押圧部とされている。
【００９２】
また、図示のごとく、シール押圧ヘッド４の先端縁つまり押圧部４１の幅方向両端部に、シールＳを押圧部４１へ挿入案内する案内用突起４４、４４が設けられている。
その他の構成および作用は実施形態１と同様である。
【００９３】
実施形態５
本実施形態は図９に示されており、実施形態１におけるシール供給具１のシール押圧ヘッド４の具体的構造が改変されたものである。
【００９４】
すなわち、本実施形態のシール押圧ヘッド４は、実施形態２と同様に、ケース２の先端部から突出して延びる平板状ヘッドの形態とされるとともに、図示のごとく、その先端縁４１が断面凸円弧形状とされて、シール供給部３の剥離ローラ２０により剥離されたシールＳを対象位置Ｐに密着状に押圧する押圧部を形成している。
【００９５】
また、図示のごとく、シール押圧ヘッド４の先端部４２には、小径の押圧ローラ４５が回転可能に支持されて、その外周面により上記先端縁４１が形成されている。
その他の構成および作用は実施形態１と同様である。
【００９６】
実施形態６
本実施形態は図１０に示されており、実施形態１におけるシール供給具１のシール押圧ヘッド４の具体的構造が改変されたものである。
【００９７】
すなわち、本実施形態のシール押圧ヘッド４は、実施形態２と同様に、ケース２の先端部から突出して延びる平板状ヘッドの形態とされるとともに、図示のごとく、その先端縁４１が弾性線材４６により形成されて、押圧方向に弾性変形可能とされている。
【００９８】
具体的には、上記弾性線材４６は、図示のように先端縁４１を形成する直線状部分を有するように折曲形成されるとともに、その両端部分４６ａ、４６ｂが前後方向へずれた支持軸とされて、これら支軸４６ａ、４６ｂが上記シール押圧ヘッド４の先端部４２に埋設状に固定され、これにより、シール押圧ヘッド４の先端部４２が押圧方向に弾性変形可能とされている。
その他の構成および作用は実施形態１と同様である。
【００９９】
なお、上述した実施形態はあくまでも本発明の好適な実施態様を示すものであって、本発明はこれに限定されることなく、その範囲内で種々の設計変更が可能である。
【０１００】
例えば、図示の実施形態においては、ケース２のテープ収納部６が、シールテープＴを直接収納配置する構造と、テープカートリッジ５を交換可能に収納配置する構造とを兼備する構成とされているが、これらの構造のいずれか一方の構造を備えるように改変することももちろん可能である。
【０１０１】
また、図示の実施形態においては、テープ排出部３１の排出端部に設けられたテープカッタ３２は、紙製の基材テープＳに対応して、ペーパーナイフの形態とされているが、テープカッタ３２の具体的構造は、基材テープＳの材質に対応して適宜選択的に採用され、例えば、基材テープＳの構成材料がポリエチレンテレフタレート（ＰＥＴ）、ポリエチレン、ポリプロピレンなどのプラスチック材料である場合には、金属製の鋸歯状カッタが採用される。
【図面の簡単な説明】
【０１０２】
【図１】本発明の実施形態１であるシール供給具を示す斜視図である。
【図２】同じく同シール供給具を分解して示す斜視図である。
【図３】同シール供給具の使用状態を示す側面断面図である。
【図４】同シール供給具の使用状態をより具体的に拡大して示す側面断面図である。
【図５】同シール供給具の後部に設けられたテープカッタを示し、図５（ａ）は背面からの斜視図、図５（ｂ）は基材テープを切断する状態を示す側面図である。
【図６】本発明の実施形態２であるシール供給具のシール押圧ヘッドの使用状態を示す側面断面図である。
【図７】本発明の実施形態３であるシール供給具のシール押圧ヘッドの使用状態を示す側面断面図である。
【図８】本発明の実施形態４であるシール供給具のシール押圧ヘッドの使用状態を示し、図８（ａ）は斜視図、図８（ｂ）は側面断面図である。
【図９】本発明の実施形態５であるシール供給具のシール押圧ヘッドの使用状態を示し、図９（ａ）は斜視図、図９（ｂ）は側面断面図である。
【図１０】本発明の実施形態６であるシール供給具のシール押圧ヘッドの使用状態を示す斜視図である。
【符号の説明】
【０１０３】
Ｔ                      シールテープ
Ｂ                      基材テープ
Ｓ                      シール
Ｐ                      対象位置
Ｒ                      シールの剥離位置
Ｌ0                     シールの送り方向長さ
Ｌ                      シールの剥離位置と対象位置との直線距離
１                      シール供給具
２                      ケース
３                      シール供給部（シール供給手段）
４                      シール押圧ヘッド
５                      テープカートリッジ
６                      テープ収納部
７                      ケース本体
８                      蓋体
１１                    貫通穴
１５                    カートリッジ本体
１６                    テープ繰出部
１６ａ                  テープ繰出部の挿通路
１７                    回転支軸
１８                    補強部
２０                    剥離ローラ
２１                    送りローラ
３０                    テープ案内部
３０ａ                  テープ案内部の湾曲状案内面
３１                    テープ排出部
３１ａ                  テープ排出部の湾曲状案内面（案内面）
３２                    テープカッタ
３５                    シール押圧ヘッドの凸円弧面（押圧部）
４０                    保護キャップ
４１                    押圧部（先端縁）
４２                    シール押圧ヘッドの先端部
４２ａ                  弾性変形用薄肉部分
４３                    案内用凹部
４４                    案内用突起
４５                    押圧ローラ
４６                    弾性線材
【図１】
2006306484.tif 000003
【図２】
2006306484.tif 000004
【図３】
2006306484.tif 000005
【図４】
2006306484.tif 000006
【図５】
2006306484.tif 000007
【図６】
2006306484.tif 000008
【図７】
2006306484.tif 000009
【図８】
2006306484.tif 000010
【図９】
2006306484.tif 000011
【図１０】
2006306484.tif 000012